(57)【要約】      （修正有）【課題】固定ガントリー式ＣＴシステムの小寸法及びデータ識別の高精度化したガントリーレスＣＴ装置を提供する。【解決手段】走査通路と、複数の放射線射出点９を含み、走査通路を囲んで配置される固定式Ｘ線源７と、走査通路を囲んで配置されるとともに、Ｘ線源７に対向して配置される固定式の複数の探知器モジュール１０と、を含むガントリーレスＣＴ装置とする。走査通路と交差する平面において観察するとき、複数の探知器モジュール１０のうちの少なくとも一部の探知器モジュール１０は、略Ｌ形、半円形、Ｕ形、円弧形、放物線形又は曲線形に配置される。【選択図】図２
2014130139.tif 000002
【特許請求の範囲】
【請求項１】
走査通路と、
複数の放射線射出点を含み、走査通路を囲んで配置される固定式Ｘ線源と、
走査通路を囲んで配置されるとともに、Ｘ線源に対向して配置される固定式の複数の探知器モジュールと、を含むガントリーレスＣＴ装置。
【請求項２】
走査通路と交差する平面において観察するとき、前記複数の探知器モジュールのうちの少なくとも一部の探知器モジュールは、略Ｌ形、半円形、Ｕ形、円弧形、放物線形又は曲線形に配置される、請求項１に記載のガントリーレスＣＴ装置。
【請求項３】
走査通路と交差する平面において観察するとき、前記Ｘ線源の複数の放射線射出点のうちの少なくとも一部は、略直線形または折れ線形に配置される、請求項１又は２に記載のガントリーレスＣＴ装置。
【請求項４】
略直線形または折れ線形に配置される放射線射出点における始末端放射線射出点と走査通路中心との連結線のなす角と、略Ｌ形に配置される探知器モジュールにおける始末端探知器モジュールと走査通路中心との連結線のなす角の和は１８０度より大きい、請求項３に記載のガントリーレスＣＴ装置。
【請求項５】
前記Ｘ線源の複数の放射線射出点から射出される放射線ビームは、被検体が走査通路に沿って進行する方向に垂直である、若しくは走査通路に垂直である、又は物体の前進方向若しくは走査通路に対して傾斜している、請求項１に記載のガントリーレスＣＴ装置。
【請求項６】
前記Ｘ線源の複数の放射線射出点から射出される放射線ビームは、探知器モジュールの放射線受信面と同じ平面内にある、請求項１に記載のガントリーレスＣＴ装置。
【請求項７】
複数の放射線射出点から射出された放射線が放射線受信面の間を通過しないように、探知器モジュールの放射線受信面は首尾隣接される、請求項１に記載のガントリーレスＣＴ装置。
【請求項８】
走査通路と交差する平面において観察するとき、探知器受信モジュールの放射線受信面の中点連結線は２本の直線を形成し、且つ２本の直線が一点で交差する、請求項１に記載のガントリーレスＣＴ装置。
【請求項９】
前記Ｘ線源の複数の放射線射出点と前記複数の探知器モジュールの受信面とは同一平面に配置され、且つ放射線ビームの方向が対応の探知器モジュールの受信面に略垂直である、請求項１に記載のガントリーレスＣＴ装置。
【請求項１０】
それぞれの探知器モジュールは、Ｘ線源の複数の放射線射出点のうちの少なくとも１つから射出される放射線を受信できる、請求項１に記載のガントリーレスＣＴ装置。
【請求項１１】
前記Ｘ線源の複数の放射線射出点と前記複数の探知器モジュールのうちの、対応する放射線射出点と探知器モジュールとは同一平面に配置される、請求項１に記載のガントリーレスＣＴ装置。
【請求項１２】
走査通路の方向において、前記複数の放射線射出点は少なく一列に配置される、請求項１に記載のガントリーレスＣＴ装置。
【請求項１３】
前記複数の放射線射出点と前記探知器モジュールの間に配置され、放射線ビームエネルギーを調整するフロントコリメータをさらに含む、請求項１に記載のガントリーレスＣＴ装置。
【請求項１４】
前記フロントコリメータは校正格子である、請求項１３に記載のガントリーレスＣＴ装置。
【請求項１５】
前記フロントコリメータから探知器モジュールの受信面までの距離は、校正格子から放射線射出点までの距離より大きい、請求項１３又は１４に記載のガントリーレスＣＴ装置。
【請求項１６】
前記フロントコリメータから探知器モジュールの受信面までの距離は、校正格子から放射線射出点までの距離の５倍以上である、請求項１３又は１４に記載のガントリーレスＣＴ装置。
【請求項１７】
前記校正格子形状はフィッティング曲線状である、請求項１４に記載のガントリーレスＣＴ装置。
【請求項１８】
前記Ｘ線源がカーボンナノチューブＸ線源である、請求項１に記載のガントリーレスＣＴ装置。
【請求項１９】
前記Ｘ線源が、Ｘ線を間隔順序で又は連続的に射出する複数の放射線射出点を含む、請求項１に記載のガントリーレスＣＴ装置。
【請求項２０】
前記Ｘ線源の放射線射出点は、Ｌ形、Ｕ形、半円形、円弧形、放物線形又は曲線形に配置される、請求項１に記載のガントリーレスＣＴ装置。
【発明の詳細な説明】
【技術分野】
【０００１】
本発明はガントリーレスＣＴ装置に関し、特に安全検査用のガントリーレスＣＴ装置に関する。
【背景技術】
【０００２】
ＣＴ技術が物質密度識別において優れた性能を有するため、安全検査システムにおけるＣＴ技術の応用は広がっている。ＣＴ技術は、異なる角度のデータを採集してデータ再建を行なう必要がある。伝統的な解決方法としては、一定の速度で回転するスリップリングシステムを用い、異なる角度のＸ線透視データを採集して再建を行なう。回転部品の出現は、設備の構造が複雑であり、運転騒音が大きく、設備の体積が大きく、ランニング及びメンテナンスのコストが高いことを招来する。近年、Ｘ線源技術の発展につれて、特にカーボンナノ技術に基づく多点Ｘ線源の出現は、異なる角度からデータ再建を行なう新たな構想をＣＴ技術に提供している。
【０００３】
一定の時系列を介して、カーボンナノＸ線源の放射線射出点のトリガーシーケンスを制御する。Ｘ線源の放射線射出点が十分に多く、探知器受信面のレイアウトが有効であり、射出及び受信のシーケンス制御が合理であれば、ＣＴデータ再建の需要を満たす十分なデータ量を得ることができるため、回転するスリップリングシステムによらずにＣＴ技術の再建を実現することができる。ガントリーレスＣＴ技術の登場により、従来のＣＴ技術が当面している複雑なデータ伝送問題は解決されるとともに、ランニング費用はより低く、信頼性はより高い。しかしながら、ガントリーレスＣＴ技術が回転部品を取り消したため、ＣＴ設備の放射線源及び探知器のレイアウトはより高く要求される。如何にレイアウトを合理にすることも、各ガントリーレスＣＴメーカが当面する難題になっている。
【０００４】
早期のガントリーレスＣＴ技術が医療検査分野に多く応用されたため、検査の被走査対象は単一であり、且つ走査通路内における固定位置を保証し得る。したがって、最もよく見られるレイアウト方式としては、探知器のレイアウトが直線形または円弧形であり、複数点Ｘ線源の放射線射出点と探知器受信面との相対運動によって、異なる角度の方向におけるＣＴ再建データを取得する。早期のガントリーレスＣＴシステムを比較すれば分かる通り、直線形レイアウトにしても円弧形レイアウトにしても、走査通路のＸ線源及び探知器のレイアウトに対する影響、即ち、如何に小寸法の条件で十分に大きい走査通路を保証するかを総合的に考慮していない。したがって、安全検査分野に応用される場合、ガントリーレスＣＴ設備は全体の寸法が大きく、検査速度が遅く、安全検査分野における快速検査のガントリーレスＣＴ設備の敷地面積に対する需要を満足することができない。安全検査分野において、走査通路の大きさと走査速度は、検査効果に影響する２つの重要要素である。したがって、安全検査ＣＴ設備の走査通路は、医療用ＣＴ設備より明らかに大きいとともに、速度は医療用ＣＴシステムより明らかに高い。また、安全検査設備の多くは公共地域に配置されるため、設備自体の輻射防護に対して高く要求する。これらは、安全検査設備の設計に多くの厳しい要求をもたらした。
【発明の概要】
【０００５】
本発明の目的は、例えば小さい体積を有することによって、敷地面積を減少することができるガントリーレスＣＴ装置を提供することである。
【０００６】
本発明の１つの面によると、本発明はガントリーレスＣＴ装置を提供し、該ガントリーレスＣＴ装置は、走査通路と、複数の放射線射出点を含み、走査通路を囲んで配置される固定式Ｘ線源と、走査通路を囲んで配置されるとともに、Ｘ線源に対向して配置される固定式の複数の探知器モジュールと、を含む。
【０００７】
本発明の１つの面によると、走査通路と交差する平面において観察するとき、前記複数の探知器モジュールのうちの少なくとも一部の探知器モジュールは、略Ｌ形に配置される。前記平面は走査通路に略垂直である、又は前記平面は走査通路に対して傾斜している。
【０００８】
本発明の１つの面によると、走査通路と交差する平面において観察するとき、前記Ｘ線源の複数の放射線射出点のうちの少なくとも一部は、略直線形または折れ線形に配置される。前記平面は走査通路に略垂直である、又は前記平面は走査通路に対して傾斜している。
【０００９】
本発明の１つの面によると、略直線形または折れ線形に配置される放射線射出点における始末端放射線射出点と走査通路中心との連結線のなす角と、略Ｌ形に配置される探知器モジュールにおける始末端探知器モジュールと走査通路中心との連結線のなす角の和は１８０度より大きい。これにより、データ採集システムは十分な走査データを取得し得る。
【００１０】
本発明の１つの面によると、前記Ｘ線源の複数の放射線射出点から射出される放射線ビームは、被検体が走査通路に沿って進行する方向に垂直である、若しくは走査通路に垂直である、又は物体の前進方向若しくは走査通路に対して傾斜している。
【００１１】
本発明の１つの面によると、前記Ｘ線源の複数の放射線射出点から射出される放射線ビームは、探知器モジュールの放射線受信面と同じ平面内にある。
【００１２】
本発明の１つの面によると、複数の放射線射出点から射出された放射線が放射線受信面の間を通過しないように、探知器モジュールの放射線受信面は首尾隣接される。
【００１３】
本発明の１つの面によると、走査通路と交差する平面において観察するとき、探知器受信モジュールの放射線受信面の中点連結線は２本の直線を形成し、且つ２本の直線が一点で交差する。前記平面は走査通路に略垂直である、又は前記平面は走査通路に対して傾斜している。
【００１４】
本発明の１つの面によると、前記Ｘ線源の複数の放射線射出点と前記複数の探知器モジュールの受信面とは同一平面に配置され、且つ放射線ビームの方向が対応の探知器モジュールの受信面に略垂直である。前記平面は走査通路に略垂直である、又は前記平面は走査通路に対して傾斜している。
【００１５】
本発明の１つの面によると、それぞれの探知器モジュールは、Ｘ線源の複数の放射線射出点のうちの少なくとも１つから射出される放射線を受信できる。
【００１６】
本発明の１つの面によると、前記Ｘ線源の複数の放射線射出点と前記複数の探知器モジュールのうちの、対応する放射線射出点と探知器モジュールとは同一平面に配置される。前記平面は走査通路に略垂直である、又は前記平面は走査通路に対して傾斜している。
【００１７】
本発明の１つの面によると、走査通路の方向において、前記複数の放射線射出点は少なく一列に配置される。
【００１８】
本発明の１つの面によると、前記ガントリーレスＣＴ装置は、前記複数の放射線射出点と前記探知器モジュールの間に配置され、放射線ビームエネルギーを調整するフロントコリメータをさらに含む。
【００１９】
本発明の１つの面によると、前記フロントコリメータは校正格子である。
【００２０】
本発明の１つの面によると、前記フロントコリメータから探知器モジュールの受信面までの距離は、校正格子から放射線射出点までの距離より大きい。
【００２１】
本発明の１つの面によると、前記フロントコリメータから探知器モジュールの受信面までの距離は、校正格子から放射線射出点までの距離の５倍以上である。
【００２２】
本発明の１つの面によると、前記校正格子形状はフィッティング曲線状である。
【００２３】
本発明の１つの面によると、前記Ｘ線源はカーボンナノチューブＸ線源である。
【００２４】
本発明はカーボンナノＸ線源を用いることができ、Ｘ線源と探知器モジュールのレイアウトを合理にすることにより、伝統的なガントリーレスＣＴ装置の構造が複雑であり、体積が膨大である欠点を克服し、ＣＴ安全検査設備の小型化を実現し、敷地面積を減少し、安全検査現場におけるガントリーレスＣＴシステムの応用性を向上させた。
【００２５】
本発明のカーボンナノＸ線源に基づくガントリーレスＣＴシステムは、カーボンナノ源の射出制御及び探知器アームフレームのレイアウト最適化によって、設備の幅寸法が小さい条件でガントリーレスＣＴに必要の十分なデータを取得することを保証し、ガントリーレスＣＴ設備の敷地を小さくし、設備コストを低減する目的を達する。
【図面の簡単な説明】
【００２６】
【図１】本発明の実施例によるガントリーレスＣＴ装置の模式図
【図２】本発明の実施例による放射線源、探知器及びフロントコリメータの配置模式図
【図３】本発明の実施例による放射線源及び探知器の配置模式図
【発明を実施するための最良の形態】
【００２７】
以下、図面及び具体的な実施形態を結合しながら、本発明をさらに説明する。
【００２８】
図１〜３に示すように、本発明の実施例によると、ガントリーレスＣＴ装置は、走査通路４と、複数の放射線射出点７１を含む固定式Ｘ線源７と、探知器アームフレーム５に取付けられた固定式の複数の探知器モジュール１０とを含み、探知器アームフレーム５はＸ線源７に対向して配置される。走査通路４と交差するにおいて（該平面は走査通路に略垂直である、又は該平面は走査通路に対して傾斜している）観察するとき、探知器モジュール１０は略Ｌ形に配置され、即ち明らかな横アーム１３と縦アーム１１を有し、且つ横アーム１３と縦アーム１１が互いに切れずに接続している。Ｘ線源７の放射線射出点７１と探知器アームフレーム５又は探知器モジュール１０とで形成された平面は、走査通路４若しくは搬送装置１の進行方向に略垂直である、又は、走査通路４若しくは搬送装置１の進行方向に対して傾斜している。複数の放射線射出点７１と探知器アームフレーム５又は探知器モジュール１０は、走査通路４を囲んで配置される。図示のように、１種の好ましい実施例において、該ガントリーレスＣＴ装置は、被検体が走査通路を進出することを探知するための光電センサーシステム３と、採集制御ユニット６と、コンピュータ再建ユニット８と、被検体２を搬送するための搬送装置１とをさらに含む。
【００２９】
Ｘ線源７は、複数のＸ線射出点７１を有するナノチューブＸ線源であってもよい。また、Ｘ線源７は、複数の制御可能な放射線射出点を含めば、ほかの適切なＸ線源であってもよい。Ｘ線源７の複数の放射線射出点はリニア配列を呈し、直線形（図１に示す）または折れ線形（図３に示す）に配置されてもよい。Ｘ線射出点７１から射出される放射線の方向は、走査通路４又は搬送装置１の進行方向に略垂直である、或いは、走査通路４又は搬送装置１の進行方向に対して傾斜している。且つ、Ｘ線射出点７１は探知器モジュール１０の受信面と同一平面内にあってもよい。
【００３０】
図２に示すように、Ｘ線源７から射出される全ての扇形Ｘ線ビームは走査通路４中の有効走査領域１５を充満することができ、遮蔽死角がない。Ｘ線源７のそれぞれの放射線射出点７１のＸ線射出ビームは採集制御ユニット６によって制御され、Ｘ線射出点７１の射出時間、間隔及び強度は調整可能である。放射線射出点７１は、間隔又は連続的に制御されて触発されることができる。Ｘ線源７の始端放射線射出点９及び末端放射線射出点１７と走査通路４の（横断面の）中心Ｃとの連結線のなす角はβであり、複数の探知器モジュール１０における始/末端探知器モジュール１０と通路の（横断面の）中心Ｃとの連結線のなす角はαであり、且つβとαの和が１８０度より大きい。
【００３１】
図２に示すように、探知器アームフレーム５は横アーム１３と縦アーム１１を含み、探知器横アームと探知器縦アームは切れずに交差している。探知器横アーム１３上における探知器受信モジュール１０の放射線受信面の中点は一直線に位置し、探知器縦アーム１１上における探知器受信モジュール１０の放射線受信面の中点は別の一直線に位置し、且つこの２つの直線が一点で交差している。複数の放射線射出点７１から射出される放射線は、探知器アームフレーム５間を通過することができない。Ｘ線射出点７１から射出される放射線の平面内において、探知器モジュール１０は切れずに首尾接続されている。即ち、全てのＸ線点から射出される放射線は探知器の受信面を経過しなければならない。図示の探知器モジュール１０はリニア探知器からなってもよく、エリアアレイ式探知器からなってもよい。
【００３２】
図２に示すように、走査通路４に交差する平面において観察するとき、放射線射出点７１はリニア配列を呈し、直線形（図２に示す）または折れ線形（図３に示す）に配置されてもよい。十分な断層走査データを得て再建を行なうために、放射線射出点における始末端放射線射出点９、１７と通路中心Ｃ（通路横断面の中心）との連結線のなす角βと、探知器モジュールにおける始末端探知器モジュールと通路中心Ｃとの連結線のなす角αの和は１８０度より大きい。図３において、Ｘ線源から射出される放射線方向は、走査通路４又は搬送装置１の進行方向に略垂直である、或いは、走査通路４又は搬送装置１の搬送方向に対して傾斜している。且つ、放射線方向は探知器受信平面の方向と一致している。
【００３３】
探知器アームフレーム５において、探知器モジュール１０は、Ｘ線源７の複数の放射線射出点７１における少なくとも一部からの放射線を受信することができる。これら放射線において、受信面に垂直であるものもあるし、受信面に対して傾斜するものもある。
【００３４】
図２に示すように、走査通路４に交差する平面において観察するとき、放射線射出点７１は一列に配列され、探知器モジュール１０は一列に配置され、放射線の射出ビーム方向は、走査通路４又は搬送装置１の搬送方向に略垂直である、或いは、走査通路４又は搬送装置１の搬送方向に対して傾斜している。荷物搬送システムの進行方向において、探知器受信面は一列又は複数列に配列されてもよい。複数列に配列された場合、相応のフロントコリメータは複数列構造である必要がある。
【００３５】
図２に示すように、本発明によるガントリーレスＣＴ装置は、放射線ビームの量を制御するフロントコリメータ１６をさらに含み、該フロントコリメータ１６は複数の放射線射出点７１と複数の探知器モジュール１０との間に配置される。フロントコリメータ１６は、フィッティング曲線状の校正格子又はほかの適切な校正格子であってもよい。フロントコリメータ１６から探知器モジュール１０の受信面までの距離は、放射線射出点７１からフロントコリメータ１６までの距離の５倍以上である。
【００３６】
図３に示すガントリーレスＣＴ装置において、探知器アームフレーム５はＬ形構造であり、又は探知器モジュール１０は略Ｌ形に配置され、Ｘ線源７の放射線射出点７１は折れ線形配置であってもよく、且つ放射線射出点７１における始末端放射線射出点９、１７と通路中心Ｃとの連結線のなす角βと、探知器モジュール１０における始末端探知器モジュール１０と通路中心Ｃとの連結線のなす角αの和は１８０度より大きい。選択的には、探知器モジュール１０は、例えば半円形、Ｕ形、円弧形、放物線形、曲線形などのようなほかの形状に配置されてもよい。Ｘ線源７の放射線射出点７１も、Ｌ形、Ｕ形、半円形、円弧形、放物線形、曲線形などに配置されてもよい。
【００３７】
一定の時間帯内において、探知器アームフレーム５上の探知器モジュール１０に到達したＸ線エネルギーは、Ｘ線源７の単一放射線射出点７１からきてもよく、Ｘ線源７のいくつかの放射線射出点７１の組み合わせからきてもよい。Ｘ線源７の異なる放射線射出点７１から射出されるＸ線の強度を、プログラムによって制御することができる。Ｘ線源７の放射線射出点の数量、探知器横アーム及び縦アームの大きさは、走査通路４内の有効走査領域１５の大きさと関係がある。全ての放射線射出点７１から射出されるＸ線ビームは走査通路４をカバーする。
【００３８】
Ｘ線射出点７１のトリガー方式は、ガントリーレスＣＴ装置の採集制御方式と関係がある。単一放射線射出点７１のトリガーは、ガントリーレスＣＴ装置の採集制御ユニット６によって制御される。採集制御ユニット６のコマンドでは、Ｘ線源７の放射線射出点７１はＸ線を順に射出することができ、放射線射出点の射出間隔、周波数は採集制御ユニット６のコマンドに支配される。
【００３９】
本発明のガントリーレスシステムにおいて、採集制御ユニット６はＣａｎバスを介して制御し、Ｘ線源７に対する制御及び探知器モジュール１０に対する制御を含む。被検荷物２が光電センサーシステム３を触発した場合、コンピュータシステム８は制御コマンドをプロトコルを介して採集制御ユニット６に伝達し、探知器モジュール１０の採集開始を要求し、制御ユニットは採集制御ユニット６のコマンドを解析することにより、採集開始のコマンドを発布し、採集データに対して伝送及びミス訂正を行い、探知器モジュール１０の採集したデータをコンピュータ再建ユニット８に伝送する。
【００４０】
コンピュータ再建ユニット８は、ガントリーレスＣＴ装置のデータの解析、再構築及び特徴識別を実現する重要なデバイスである。採集されたデータがコンピュータ再建ユニット８に伝送された場合、コンピュータ再建ユニット８はまずデータパッケージのフォーマットに基づいてデータを分類し、データの由来を確定し、走査領域内の被走査荷物に基づく特徴マトリックスを建ててから、特徴マトリックスにおける対応の特徴値を求め、データベースにおける特異物質の特徴値と対比することにより、該物質が特別に注意すべく物質であるか否かを取得し、さらに警報するか否かのヒントを与える。
【００４１】
走査通路４は、被走査荷物２を搬送して進行させる通路を提供するとともに、余計Ｘ線の遮蔽壁として作用する。遮蔽壁は輻射防止の材料からなり、該輻射防止の材料は鉛又は鋼材のような重金属であってもよい。
【００４２】
検査過程において、被検荷物２は一定の速度で搬送装置１のコンベアを介して走査通路４内に運送させる。被検荷物２が光電センサーシステム３又は光電センサ３を触発した時、Ｘ線源７は射出ビーム準備の状態に入り、荷物２が走査有効領域１５内に入った場合、採集制御ユニット６はＸ線源７の放射線射出点７１を操縦制御して予定の時系列に従って電子ビームを射出し、Ｘ線を連続的に又は間隔を持って発生させる。同時に、採集制御ユニット６は採集開始のコマンドを発布し、探知器モジュール１０の対応位置はデータ採集を開始するとともに、採集されるデータの時間点及び探知器モジュール１０の位置点を記録する。採集されたデータを専用ケーブル（例えば光ファイバー）を介してコンピュータ再建ユニット８に伝送し、コンピュータ再建ユニット８によって、同一時間内の放射線射出点を制御する指令情報と採集されたデータ情報を比較することにより、校正及びデータ処理を行ってから、相応位置のデータを再建し、被走査荷物２の物質特性に基づくマトリックスを建てる。コンピュータ再建ユニット８における計算モジュールによって逆向きに解を求め、対応位置における被走査荷物２の物質の１種以上の物質特性を取得し、断層位置内における物質特性データを建てる。荷物２が一定の速度で移動することにつれて、コンピュータ再建ユニット８は荷物全体の物質特性データを逐層に取得し、専用の識別算法によって断層データ特性を集中分析して判定し、従来データベースにおける物質特性表と比較し、被走査荷物２にユーザの関心を持つ特異物質が含まれるか否かという結論を取得し、且つコンピュータシステムに接続されたディスプレイを介して表示させる。
【００４３】
本発明において、Ｘ線源７の放射線射出点７１の位置変換を用い、放射線射出点と走査採集領域を変換することにより、異なるシーケンスでの被走査荷物の採集データを取得する。さらに、伝統的なコンピュータ断層走査技術（即ちＣＴ技術）を用い、被走査物体、又は探知器やＸ線源を回転させずに、被走査荷物に対する断層走査を実現する。
【００４４】
コンピュータ再建の過程において、コンピュータの断層データを再建する精度は、被走査荷物を観察した角度と関係がある。本発明は、カーボンナノ材料に基づくＸ線源を用いることができる。一定の長さ範囲内において、放射線射出点間の間隔は同じであってもよい。採集制御ユニット６によってプログラム制御を行なうことができる。放射線射出点が放射線を射出する順序は、直線に沿って配列されてもよく、折れ線に沿って配列されてもよい。探知器はリニア探知器とエリアアレイ式探知器に分けられることができ、コストとシステム識別精度の問題を最大限に解決することができる。
【００４５】
一般の場合、被走査荷物は、一定の速度で走査領域を通過する。走査に対する要求が高い場合、被走査物質は走査領域内において静止を保持し、そして一旦移動し、走査が完成するまで静態走査を継続することもできる。コンピュータシステムは、荷物断層の物質特性を識別することにより物質を区分する。物質を識別する過程において、システムは、密度や原子番号のような少なくとも１種の物質特性を含むべきである。
【００４６】
本発明のガントリーレスＣＴ装置は、安全検査分野内におけるＣＴ技術の応用を十分に考慮し、走査通路、カーボンナノ放射線源及び探知器システムを総合的に考慮することにより、ガントリーレスＣＴシステムの設備が膨大であり、採集精度が低い問題を解決し、ＣＴ技術の快速化及び小型化を実現した。
【図１】
2014130139.tif 000003
【図２】
2014130139.tif 000004
【図３】
2014130139.tif 000005